(57)【要約】【課題】本発明は、複数の記録材収容部にそれぞれ設けられた送り出し部材が作動する際にユーザと接触することを抑制する記録材処理装置を提供することを目的とする。【解決手段】本発明の画像形成装置１００は、用紙に画像形成を施す画像形成部と、画像形成部による処理が行われた用紙が積載される積載部６０、６５と、用紙を積載部６０、６５に送り出す送り出し部材とを各々有し、用紙が収容される複数の収容部と、複数の収容部の各々に開閉可能に設けられ、収容部を覆うカバー部材８０、９０と、用紙を複数の収容部のいずれかに搬送する搬送機構と、カバー部材８０、９０のいずれかが開放されている場合に、開放されているカバー部材８０、９０が設けられている収容部に用紙を搬送せず、閉じられているカバー部材８０、９０が設けられている収容部に用紙を搬送するように搬送機構を制御する制御手段とを含む。【選択図】図２
2012118133.tif 000002
【特許請求の範囲】
【請求項１】
記録材に対し予め定められた処理を施す記録材処理部と、
前記記録材処理部による処理が行われた記録材が積載される積載部と、当該記録材処理部から搬送されてきた記録材を当該積載部に送り出す送り出し部材とを各々有し、当該記録材処理部による処理が行われた記録材が収容される複数の記録材収容部と、
前記複数の記録材収容部の各々に設けられるとともに開閉可能に設けられ、当該記録材収容部を少なくとも一方向から覆う複数の覆い部材と、
前記記録材処理部による処理が施された記録材を前記複数の記録材収容部のいずれかに搬送する搬送機構と、
前記複数の覆い部材のいずれかが開放されている場合に、開放されている覆い部材が設けられている開放記録材収容部に対して記録材を搬送せず、閉じられている覆い部材が設けられている閉鎖記録材収容部に対して記録材を搬送するように前記搬送機構を制御する制御手段と
を含む記録材処理装置。
【請求項２】
前記制御手段は、前記開放記録材収容部に設けられた送り出し部材の駆動を停止させ、前記閉鎖記録材収容部に設けられた送り出し部材を駆動するよう制御することを特徴とする請求項１記載の記録材処理装置。
【請求項３】
前記制御手段は、前記複数の覆い部材のいずれもが開放されている場合に、前記記録材処理部が記録材に対し予め定められた処理を施さないよう制御することを特徴とする請求項１または２記載の記録材処理装置。
【請求項４】
前記記録材収容部は、前記閉じられている覆い部材を固定するとともに予め定められた期間経過後に固定を解除する固定解除機構を有することを特徴とする請求項１乃至３のいずれか１項記載の記録材処理装置。
【請求項５】
前記固定解除機構は、前記記録材処理部が前記予め定められた処理を開始する前に、前記閉じられている覆い部材を固定することを特徴とする請求項４記載の記録材処理装置。
【請求項６】
原稿上の画像を読み取って画像データを生成する画像読取部と、
前記画像読取部の下方に設けられ、記録材に画像を形成する画像形成部と、
前記画像読取部の下方であって前記画像形成部の上方あるいは側方に設けられ前記画像形成部により画像が形成された記録材が積載される第１の積載部と、当該画像形成部から搬送されてきた記録材を当該第１の積載部に送り出す第１の送り出し部材とを有し、当該画像形成部により画像が形成された記録材が収容される第１の記録材収容部と、
前記画像読取部の下方であって前記第１の記録材収容部の上方に設けられ前記画像形成部により画像が形成された記録材が積載される第２の積載部と、当該画像形成部から搬送されてきた記録材を当該第２の積載部に送り出す第２の送り出し部材とを有し、当該画像形成部により画像が形成された記録材が収容される第２の記録材収容部と、
開閉可能に設けられ、前記第１の記録材収容部を少なくとも一方向から覆う第１の覆い部材と、
前記第１の覆い部材の上方に開閉可能に設けられ、前記第２の記録材収容部を少なくとも一方向から覆う第２の覆い部材と、
前記画像形成部により画像が形成された記録材を前記第１の記録材収容部あるいは前記第２の記録材収容部の何れかに搬送する搬送機構と、
前記第１の覆い部材あるいは前記第２の覆い部材のいずれか一方の覆い部材が開放されている場合に、当該一方の覆い部材が設けられている記録材収容部に対して記録材が搬送せず、他方の覆い部材が設けられている記録材収容部に対して記録材が搬送されるように前記搬送機構を制御する制御手段と
を含む画像形成装置。
【発明の詳細な説明】
【技術分野】
【０００１】
本発明は、記録材処理装置及び画像形成装置に関する。
【背景技術】
【０００２】
従来技術として、画像形成装置において、排紙トレイ上に排出された用紙の内容露見及び用紙の持ち出しを必要に応じて防止することを目的として、装置筐体内に形成された排紙部の前面に開閉可能なドアを設け、そのドアに鍵を設ける。そして、ドアを閉めてキーにより鍵を掛けることで、排紙トレイに排出された用紙が他人に持ち出されることを防ぐ画像形成装置が知られている（特許文献１参照）。
【先行技術文献】
【特許文献】
【０００３】
【特許文献１】特開平０８−３３９１０２号公報
【発明の概要】
【発明が解決しようとする課題】
【０００４】
本発明は、複数の記録材収容部にそれぞれ設けられた送り出し部材が作動する際にユーザと接触することを抑制する記録材処理装置を提供することを目的とする。
【課題を解決するための手段】
【０００５】
請求項１記載の発明は、記録材に対し予め定められた処理を施す記録材処理部と、前記記録材処理部による処理が行われた記録材が積載される積載部と、当該記録材処理部から搬送されてきた記録材を当該積載部に送り出す送り出し部材とを各々有し、当該記録材処理部による処理が行われた記録材が収容される複数の記録材収容部と、前記複数の記録材収容部の各々に設けられるとともに開閉可能に設けられ、当該記録材収容部を少なくとも一方向から覆う複数の覆い部材と、前記記録材処理部による処理が施された記録材を前記複数の記録材収容部のいずれかに搬送する搬送機構と、前記複数の覆い部材のいずれかが開放されている場合に、開放されている覆い部材が設けられている開放記録材収容部に対して記録材を搬送せず、閉じられている覆い部材が設けられている閉鎖記録材収容部に対して記録材を搬送するように前記搬送機構を制御する制御手段とを含む記録材処理装置である。
請求項２記載の発明は、前記制御手段は、前記開放記録材収容部に設けられた送り出し部材の駆動を停止させ、前記閉鎖記録材収容部に設けられた送り出し部材を駆動するよう制御することを特徴とする請求項１記載の記録材処理装置である。
請求項３記載の発明は、前記制御手段は、前記複数の覆い部材のいずれもが開放されている場合に、前記記録材処理部が記録材に対し予め定められた処理を施さないよう制御することを特徴とする請求項１または２記載の記録材処理装置である。
【０００６】
請求項４記載の発明は、前記記録材収容部は、前記閉じられている覆い部材を固定するとともに予め定められた期間経過後に固定を解除する固定解除機構を有することを特徴とする請求項１乃至３のいずれか１項記載の記録材処理装置である。
請求項５記載の発明は、前記固定解除機構は、前記記録材処理部が前記予め定められた処理を開始する前に、前記閉じられている覆い部材を固定することを特徴とする請求項４記載の記録材処理装置である。
請求項６記載の発明は、原稿上の画像を読み取って画像データを生成する画像読取部と、前記画像読取部の下方に設けられ、記録材に画像を形成する画像形成部と、前記画像読取部の下方であって前記画像形成部の上方あるいは側方に設けられ前記画像形成部により画像が形成された記録材が積載される第１の積載部と、当該画像形成部から搬送されてきた記録材を当該第１の積載部に送り出す第１の送り出し部材とを有し、当該画像形成部により画像が形成された記録材が収容される第１の記録材収容部と、前記画像読取部の下方であって前記第１の記録材収容部の上方に設けられ前記画像形成部により画像が形成された記録材が積載される第２の積載部と、当該画像形成部から搬送されてきた記録材を当該第２の積載部に送り出す第２の送り出し部材とを有し、当該画像形成部により画像が形成された記録材が収容される第２の記録材収容部と、開閉可能に設けられ、前記第１の記録材収容部を少なくとも一方向から覆う第１の覆い部材と、前記第１の覆い部材の上方に開閉可能に設けられ、前記第２の記録材収容部を少なくとも一方向から覆う第２の覆い部材と、前記画像形成部により画像が形成された記録材を前記第１の記録材収容部あるいは前記第２の記録材収容部の何れかに搬送する搬送機構と、前記第１の覆い部材あるいは前記第２の覆い部材のいずれか一方の覆い部材が開放されている場合に、当該一方の覆い部材が設けられている記録材収容部に対して記録材が搬送せず、他方の覆い部材が設けられている記録材収容部に対して記録材が搬送されるように前記搬送機構を制御する制御手段とを含む画像形成装置である。
【発明の効果】
【０００７】
請求項１記載の発明によれば、本構成を有しない場合に比較して、複数の記録材収容部にそれぞれ設けられた送り出し部材が作動する際にユーザと接触することを抑制する記録材処理装置を提供することができる。
請求項２記載の発明によれば、本構成を有しない場合に比較して、開放されている覆い部材が設けられた記録材収容部の送り出し部材が作動し、ユーザと接触することを抑制することができる。
請求項３記載の発明によれば、本構成を有しない場合に比較して、複数の覆い部材のいずれもが開放されている場合に作動する送り出し部材とユーザとの接触をより確実に抑制することができる。
請求項４記載の発明によれば、本構成を有しない場合に比較して、作動する送り出し部材とユーザとの接触をより確実に抑制することができる。
請求項５記載の発明によれば、本構成を有しない場合に比較して、作動する送り出し部材とユーザとの接触をより確実に抑制することができる。
請求項６記載の発明によれば、本構成を有しない場合に比較して、２つの記録材収容部にそれぞれ設けられた送り出し部材が作動する際にユーザと接触することを抑制する画像形成装置を提供することができる。
【図面の簡単な説明】
【０００８】
【図１】本実施の形態が適用される画像形成装置を示す概略構成図である。
【図２】本実施の形態が適用される画像形成装置を示す斜視図である。
【図３】本実施の形態が適用されるカバーロック部の説明図である。
【図４】画像形成を開始する際に制御部が行う制御を説明するフローチャートである。
【発明を実施するための形態】
【０００９】
以下、添付図面を参照して、本発明の実施の形態について詳細に説明する。
＜画像形成装置１００＞
図１は、本実施の形態が適用される画像形成装置１００を示す概略構成図である。図１に示す画像形成装置１００は、所謂タンデム型のカラープリンタである。この画像形成装置１００は、各色の画像データに対応して画像形成を行う画像形成部（記録材処理部）１０と、画像形成装置１００全体の動作を制御する制御部（制御手段）２０とを備えている。また、画像形成装置１００は、画像形成装置１００の上方側に設けられ、原稿の画像を読み取るスキャナにより構成される画像読取装置（画像読取部）３０を備えている。さらに、画像形成装置１００は、画像形成部１０に用紙Ｓを供給する用紙供給部４０を備えている。
【００１０】
ここで、画像形成装置１００の各構成部材は、筺体５０の内部に収容されている。また、画像読取装置３０の下方であって筺体５０の上部の面には、画像形成部１０によって画像が形成された用紙Ｓが積載される下方積載部(第１の積載部)６０が設けられている。さらに、画像読取装置３０の下方であって下方積載部６０の上方には、画像形成部１０によって画像が形成された用紙Ｓが積載される上方積載部(第２の積載部)６５が設けられている。
【００１１】
また、画像形成装置１００は、開閉可能に設けられ下方積載部６０と上方積載部６５との間に形成される空間（記録材収容部、第１の記録材収容部）の前面（操作面側、画像形成装置１００のフロント側）を覆う下方カバー部材（覆い部材、第１の覆い部材）８０が設けられている。さらに、開閉可能に設けられ上方積載部６５と画像読取装置３０との間に形成される空間（記録材収容部、第２の記録材収容部）の前面を覆う上方カバー部材（覆い部材、第２の覆い部材）９０が設けられている。
さらに、画像形成装置１００は、下方カバー部材８０を閉じられた状態でロック（固定）する下方カバーロック部７０Ｄと、上方カバー部材９０を閉じられた状態でロックする上方カバーロック部７０Ｕとを有する。なお、本実施の形態において、カバーロック部７０Ｕ、７０Ｄは同様の構成である。
また、画像形成装置１００は、閉じられた下方カバー部材８０と対向する位置に、下方カバー部材８０が閉じられていることを検知する下方カバーセンサ（図示せず）を有する。また、画像形成装置１００は、閉じられた上方カバー部材９０と対向する位置に、上方カバー部材９０が閉じられていることを検知する上方カバーセンサ（図示せず）を有する。さらに、画像形成装置１００は、画像形成装置１００の状態をユーザに示すユーザ・インタフェイス（図示せず）を有する。
【００１２】
＜画像形成部１０＞
画像形成部１０には、一定の間隔をおいて並列的に配置される４つの画像形成ユニット１Ｙ，１Ｍ，１Ｃ，１Ｋが備えられている。各画像形成ユニット１Ｙ，１Ｍ，１Ｃ，１Ｋは、静電潜像を形成してトナー像を保持する感光体ドラム１２を備えており、いわゆる電子写真方式によってトナー像を形成する。ここで、各画像形成ユニット１Ｙ，１Ｍ，１Ｃ，１Ｋは、現像装置に収納されるトナーを除いて、同様に構成される。そして、各画像形成ユニット１Ｙ，１Ｍ，１Ｃ，１Ｋは、それぞれがイエロー（Ｙ）、マゼンタ（Ｍ）、シアン（Ｃ）、黒（Ｋ）のトナー像を形成する。このようなことから、以下の説明においては、画像形成ユニット１Ｙ、１Ｍ、１Ｃ、１Ｋの各構成についてはそれぞれ「Ｙ」、「Ｍ」、「Ｃ」、「Ｋ」という符号を付して区別するが、区別する必要のないときは、これらの符号は付さない。
【００１３】
また、画像形成部１０は、各画像形成ユニット１の感光体ドラム１２上に形成された各色トナー像が転写される中間転写ベルト１３を備えている。また、画像形成部１０は、各画像形成ユニット１にて形成された各色トナー像を中間転写ベルト１３に順次転写（一次転写）する一次転写ロール１７を備えている。さらに、画像形成部１０は、中間転写ベルト１３上に重畳して形成された各色トナー像を記録材（記録紙）である用紙Ｓに一括転写（二次転写）する二次転写部１９と、二次転写された各色トナー像を用紙Ｓに定着させる定着装置２１とを備えている。さらにまた、画像形成部１０は、搬送機構の一例であり、トナー像が定着された用紙Ｓを、下方積載部６０に向けて搬送する経路と、上方積載部６５に向けて搬送する経路とを切り替えるゲート２９を備えている。
【００１４】
ここで、画像形成部１０は、下方積載部６０へ向けて用紙Ｓを搬送する経路において、定着装置２１によってトナー像が定着された用紙Ｓの通過を検知する下方エグジットセンサ２２を備える。また、画像形成部１０は、この下方エグジットセンサ２２を通過した用紙Ｓを下方積載部６０に排出する下方排出ロール（送り出し部材、第１の送り出し部材）２３を備える。
一方、画像形成部１０は、上方積載部６５へ向けて用紙Ｓを搬送する経路において、定着装置２１によってトナー像が定着された用紙Ｓの通過を検知する上方エグジットセンサ２７を備える。また、この上方エグジットセンサ２７を通過した用紙Ｓを上方積載部６５に排出する上方排出ロール（送り出し部材、第２の送り出し部材）２８を備える。
【００１５】
用紙供給部４０は、用紙収容部４１と、繰り出しロール４３と、捌きロール４５とレジロール４７とを備える。用紙収容部４１は、用紙Ｓを収容する。繰り出しロール４３は、用紙収容部４１の上部に配設され、用紙収容部４１に収容される用紙Ｓの束のうち、最上位の用紙Ｓを繰り出す。捌きロール４５は、繰り出しロール４３にて繰り出された用紙Ｓを１枚ずつに捌いて搬送する。また、レジロール４７は、捌きロール４５によって捌いて搬送された用紙Ｓを一旦停止させ、タイミングを合わせて回転を再開することにより二次転写部１９に対して用紙Ｓを供給する。
【００１６】
＜下方カバー部材８０及び上方カバー部材９０＞
次に、図１及び図２を参照しながら、下方カバー部材８０及び上方カバー部材９０について説明をする。ここで、図２は、本実施の形態が適用される画像形成装置１００を示す斜視図である。
【００１７】
まず、下方カバー部材８０について説明をする。
下方カバー部材８０は、図２に示すように、画像形成装置１００の前面（操作面側）に開閉可能に設けられている（矢印ＡＤ参照）。また、下方カバー部材８０は、板状の部分であるカバー面８０ａと、カバー面８０ａの一方の端部（下端部）に設けられたヒンジ８１と、ヒンジ８１が設けられた一方の端部とは反対側の端部に設けられ画像形成装置１００の本体部側によりその移動が規制される被拘束部８５Ｄ（図２参照）とを有する。
【００１８】
ここで、図１に示すように、カバー面８０ａは、下方カバー部材８０が閉じられた状態において、上方積載部６５の下方から下方積載部６０の下方までを覆う寸法で構成されている。また本実施形態では、図１に示すように、下方カバー部材８０が閉じられた状態において、カバー面８０ａの上端部が上方積載部６５の積載面に沿うように、下方カバー部材８０は構成されている。
下方カバー部材８０のヒンジ８１は、図１に示すように閉じられた状態の下方カバー部材８０の下側の端部に設けられるとともに、下方積載部６０の下方にて、筺体５０に固定されている。
被拘束部８５Ｄは、下方カバー部材８０が閉じられた状態にて、下方積載部６０が設けられる筺体側面５０ａ（図２参照）に対向配置される。また、本実施の形態における被拘束部８５Ｄは、カバー面８０ａと連続した状態で形成されている。さらに、被拘束部８５Ｄは、筺体側面５０ａに向けて開口する開口８７（８７Ｕ、８７Ｄ、詳細は後述）を有する。
【００１９】
次に、上方カバー部材９０について説明をする。
上方カバー部材９０は、図２に示すように、画像形成装置１００の前面（操作面側）に開閉可能に設けられている（矢印ＡＵ参照）。また、上方カバー部材９０は、図１に示すように、板状の部分であるカバー面９０ａと、カバー面９０ａの一方の端部（上端部）に設けられたヒンジ９１と、ヒンジ９１が設けられた一方の端部とは反対側の端部に設けられ画像形成装置１００の本体部側によりその移動が規制される被拘束部８５Ｕ（図２参照）とを有する。
【００２０】
ここで、図１に示すように、カバー面９０ａは、上方カバー部材９０が閉じられた状態において、画像読取装置３０の下部から上方積載部６５の上方までを覆う寸法で構成されている。付言すると、図１に示すように、上方カバー部材９０が閉じられた状態において、カバー面９０ａの下端部が上方積載部６５の積載面に沿うように、上方カバー部材９０は構成されている。さらに、下方カバー部材８０と上方カバー部材９０とがともに閉じられた状態において、互いに接触することがないように下方カバー部材８０と上方カバー部材９０とが構成されている。
【００２１】
上方カバー部材９０のヒンジ９１は、図１に示すように閉じられた状態の上方カバー部材９０の上側の端部に設けられている。
被拘束部８５Ｕは、上方カバー部材９０が閉じられた状態にて、筺体側面５０ａ（図２参照）に対向配置される。また、本実施の形態における被拘束部８５Ｕは、カバー面９０ａと連続した状態で形成されている。さらに、被拘束部８５Ｕは、筺体側面５０ａに向けて開口する開口８７Ｕ（詳細は後述）を有する。
なお、被拘束部８５Ｄおよび被拘束部８５Ｕは同様に構成されている。また、詳細は後述するが、被拘束部８５Ｄに形成された開口８７Ｄ、および被拘束部８５Ｕに形成された開口８７Ｕも同様の構成（形状）となっている。
【００２２】
ここで本実施形態では、下方カバー部材８０及び上方カバー部材９０が閉じられ且つロック（詳細は後述）されることによって、画像形成装置１００が使用される際に次のことが制限されるようになる。まず、下方積載部６０あるいは上方積載部６５に排出された用紙Ｓの取り出しが制限されるようになる。また、下方積載部６０側に露出する下方排出ロール２３や、上方積載部６５側に露出する上方排出ロール２８へのユーザのアクセスが制限されるようになる。
【００２３】
＜カバーロック部７０＞
次に、図２及び図３を参照しながら、固定解除機構の一例であるカバーロック部７０Ｕ、７０Ｄについて説明をする。上述のようにカバーロック部７０Ｕ、７０Ｄは同様の構成であり、かつ被拘束部８５Ｕ、８５Ｄ、及び開口８７Ｕ、８７Ｄも同様の構成である。このため以下の説明では、カバーロック部７０Ｄ、被拘束部８５Ｄ及び開口８７Ｄを用いて説明をする。
なお、図３は、本実施の形態が適用されるカバーロック部７０Ｄの説明図である。図３（Ａ）はカバーロック部７０Ｄ周辺の斜視図であり、図３（Ｂ）は図３（Ａ）のＩ面におけるカバーロック部７０Ｄの断面図である。詳細には、（Ｂ−１）はカバーロック部７０Ｄによるロックが解除されている状態を示し、（Ｂ−２）はカバーロック部７０Ｄによってロックされている状態を示す。
【００２４】
カバーロック部７０Ｄは、下方カバー部材８０が閉じられた状態で、下方カバー部材８０の被拘束部８５Ｄと対向する位置に設けられる（図２参照）。またカバーロック部７０Ｄは、図３（Ａ）、（Ｂ）に示すように、被拘束部８５Ｄを拘束するロックピン７１と、このロックピン７１と接続されロックピン７１を移動させるソレノイド７５と、ロックピン７１とソレノイド７５との間に設けられロックピン７１を元の位置に戻す戻しばね７３とを有する。
【００２５】
ここで、ロックピン７１は、同図（Ｂ−１）、（Ｂ−２）に示すように、屈曲部７１ｃを有するＬ字状の部材であり、被拘束部８５Ｄに対して進退可能に設けられる(矢印Ｂ及びＣ参照)。このロックピン７１は、屈曲部７１ｃから被拘束部８５Ｄに向けて延びる主部７１１と、屈曲部７１ｃにて主部７１１に接続され主部７１１と交差する方向（直交する方向）に延びる副部７１２とを有する。そして、ロックピン７１の主部７１１は筺体側面５０ａを貫通して設けられている。
ソレノイド７５は、ロックピン７１の副部７１２の端部７１ａ（主部７１１に接続された端部とは反対側に位置する端部）に接続されている。ソレノイド７５は、この副部７１２側の端部７１ａを被拘束部８５Ｄに対して進退させる(矢印Ｂ及びＣ参照)。なお、戻しばね７３は、この端部７１ａとソレノイド７５との間に設けられている。
【００２６】
図３の（Ｂ−１）及び（Ｂ−２）を参照しカバーロック部７０Ｄの動作を説明する。
まず、図３の（Ｂ−１）に示されるように、カバーロック部７０Ｄによるロックが解除されている状態においては、ロックピン７１の主部７１１側の端部７１ｂが、筺体側面５０ａに接近した位置Ｐａに配置されている。ここで、ロックピン７１の端部７１ｂが位置Ｐａに配置されている状態においては、ロックピン７１は、被拘束部８５Ｄの開口８７Ｄに進入していない。したがって、被拘束部８５Ｄがロックピン７１によって移動が制限されないことから下方カバー部材８０を開放することが可能である。
【００２７】
そして、ソレノイド７５が駆動しロックピン７１の副部７１２側の端部７１ａが矢印Ｂ方向に移動すると、ロックピン７１の主部７１１が筺体側面５０ａからさらに突出し、筺体側面５０ａより離れた位置Ｐｂへと移動する(矢印Ｂ参照)。そして、図３（Ｂ−２）に示されるように、ロックピン７１が位置Ｐｂに配置されることにより、カバーロック部７０Ｄによって下方カバー部材８０がロックされ、下方カバー部材８０は閉じられた状態で固定される。具体的には、ロックピン７１の端部７１ｂが被拘束部８５Ｄの開口８７Ｄに進入しており、被拘束部８５Ｄの移動経路上にロックピン７１が位置する状態となる。これにより、被拘束部８５Ｄはロックピン７１によって移動が制限され、下方カバー部材８０の開放が制限される。なお、ロックピン７１が位置Ｐｂへと移動する際、戻しばね７３は圧縮される。
【００２８】
一方で、下方カバー部材８０のカバーロック部７０Ｄによるロックを解除する（ロックを外す）場合には、上述の動作とは反対の動作が行われる。具体的に説明すると、オン状態とされていたソレノイド７５がオフ状態とされる。これにより戻しばね７３が伸長する。そしてこの伸長によって、ロックピン７１が押圧され、被拘束部８５Ｄから離れる方向にロックピン７１が移動する(矢印Ｃ参照)。これにより、被拘束部８５Ｄの移動経路上からはずれた箇所にロックピン７１が位置するようになる。そしてこの状態になると、下方カバー部材８０の開放が可能となる。
【００２９】
＜画像形成装置１００の動作＞
次に、画像形成装置１００の動作について説明をする。
【００３０】
画像形成装置１００が画像形成動作を開始すると、画像読取装置３０等から入力された画像データは、予め定められた画像処理が施された後、各画像形成ユニット１に送られる。そして、例えば黒（Ｋ）色トナー像を形成する画像形成ユニット１Ｋでは、感光体ドラム１２が回転しながら、予め定められた電位で一様に帯電された後に走査露光される。それにより、感光体ドラム１２上には、黒（Ｋ）色画像に関する静電潜像が形成される。そして、感光体ドラム１２上に形成された静電潜像は現像され、感光体ドラム１２上には黒（Ｋ）トナー像が形成される。同様に、画像形成ユニット１Ｙ，１Ｍ，１Ｃにおいても、それぞれイエロー（Ｙ）、マゼンタ（Ｍ）、シアン（Ｃ）の各色のトナー像が形成される。
【００３１】
各画像形成ユニット１で形成された各色のトナー像は、回転駆動される中間転写ベルト１３上に、一次転写ロール１７により順次静電吸引される。これにより中間転写ベルト１３には各色トナーが重畳された重畳トナー像が形成される。そして、中間転写ベルト１３上の重畳トナー像は、中間転写ベルト１３の移動に伴って二次転写部１９に搬送される。
一方で、用紙収容部４１に積載された用紙Ｓは、繰り出しロール４３によって繰り出され、捌きロール４５によって捌かれて搬送される。さらに、捌かれた用紙Ｓはレジロール４７によって二次転写部１９へと供給される。
そして、重畳トナー像は、二次転写部１９が形成する転写電界の作用により、レジロール４７を経て供給される用紙Ｓ上に一括して静電転写される。
【００３２】
その後、重畳トナー像が静電転写された用紙Ｓは、中間転写ベルト１３から剥離され、定着装置２１まで搬送される。定着装置２１に搬送された用紙Ｓ上のトナー像は、定着装置２１によって熱及び圧力による定着処理を受けて用紙Ｓ上に定着される。そして、定着画像が形成された用紙Ｓは、下方カバー部材８０及び上方カバー部材９０が閉じられるか否かに応じて向きが切り換えられたゲート２９を通過する。
そして、下方積載部６０に向けて搬送される場合には、下方エグジットセンサ２２によって検知された後、下方排出ロール２３によって下方積載部６０に排出され積載される。一方、上方積載部６５に向けて搬送される場合には、上方エグジットセンサ２７によって検知された後、上方排出ロール２８によって上方積載部６５に排出され積載される。
【００３３】
このようにして、画像形成装置１００での画像形成がプリント枚数分のサイクルだけ繰り返される。
ここで、定着画像が形成された用紙Ｓが下方積載部６０に向けて搬送される場合には、最後の用紙Ｓの搬送方向における後端が下方排出ロール２３を通過した後に、下方排出ロール２３の回転が停止される。その後に、カバーロック部７０Ｄによる下方カバー部材８０のロックが解除される。具体的には、ロックピン７１が位置Ｐｂから位置Ｐａに移動（図３の矢印Ｃ参照）し、ロックピン７１が被拘束部８５Ｄの開口８７Ｄの外に配置される。これにより、下方カバー部材８０の開放が可能となり、下方積載部６０に積載された用紙Ｓの取り出しが可能となる。
同様に、定着画像が形成された用紙Ｓが上方積載部６５に向けて搬送される場合には、最後の用紙Ｓの搬送方向における後端が上方排出ロール２８を通過した後に、上方排出ロール２８の回転が停止される。その後に、カバーロック部７０Ｕによる上方カバー部材９０のロックが解除される。
【００３４】
上述のように、本実施の形態においては、下方排出ロール２３及び上方排出ロール２８が回転を停止した後に、下方カバー部材８０及び上方カバー部材９０のロックが解除される。したがって、回転する下方排出ロール２３及び上方排出ロール２８にユーザが触れることが抑制される。
【００３５】
ここで、図４を用いて、画像形成を開始する際の制御部２０の制御について詳細に説明する。図４は、画像形成が開始される際に制御部２０にて実行される処理を示したフローチャートである。
まず、画像形成動作を開始する前に、制御部２０は上方カバーセンサ（図示せず）からの出力に基づき、上方カバー部材９０が閉じられているか否かを判断する（Ｓ１０１）。
【００３６】
ステップ１０１にて上方カバー部材９０が閉じられていると判断した場合、次に制御部２０は、下方カバーセンサ（図示せず）からの出力に基づき、下方カバー部材８０が閉じられているか否かを判断する（Ｓ１０２）。
【００３７】
ステップ１０２にて下方カバー部材８０が閉じられていると判断した場合、すなわち、上方カバー部材９０及び下方カバー部材８０がともに閉じている場合には、カバーロック部７０Ｕ、７０Ｄそれぞれによって、上方カバー部材９０及び下方カバー部材８０をロックする（Ｓ１０４）。そして、画像形成部１０によって用紙Ｓに画像形成が施される（Ｓ１０８）。画像形成が施された用紙Ｓは、上方積載部６５に向けて搬送されるよう切り替えられたゲート２９を通過した後、上方排出ロール２８が回転する（Ｓ１１１）ことによって上方積載部６５に積載される。なお本処理では、上方積載部６５に向けて画像が形成された用紙Ｓを搬送する場合を一例に説明したが、下方積載部６０に向けて用紙Ｓを搬送する構成であってもよい。この場合、Ｓ１１１において、下方排出ロール２３が回転することによって用紙Ｓが下方積載部６０に向けて搬送される。
【００３８】
一方、ステップ１０２にて、下方カバー部材８０が閉じられていないと判断した場合、すなわち、上方カバー部材９０が閉じ、下方カバー部材８０が開いている場合には、カバーロック部７０Ｕによって、上方カバー部材９０をロックする（Ｓ１０５）。そして、画像形成部１０によって用紙Ｓに画像形成が施される（Ｓ１０９）。画像形成が施された用紙は、上方積載部６５に向けて搬送されるように切り替えられたゲート２９を通過した後、上方排出ロール２８が回転する（Ｓ１１２）ことによって上方積載部６５に積載される。
【００３９】
また、一方、ステップ１０１にて、上方カバー部材９０が閉じられていないと判断した場合、制御部２０は、下方カバーセンサ（図示せず）からの出力に基づき下方カバー部材８０が閉じられているか否かを判断する（Ｓ１０３）。
【００４０】
ステップ１０３にて下方カバー部材８０が閉じられていると判断した場合、すなわち、上方カバー部材９０が開いており下方カバー部材８０が閉じている場合には、カバーロック部７０Ｄによって、下方カバー部材８０をロックする（Ｓ１０６）。そして、画像形成部１０によって用紙Ｓに画像形成が施される（Ｓ１１０）。画像形成が施された用紙Ｓは、下方積載部６０に向けて搬送されるよう切り替えられたゲート２９を通過した後、下方排出ロール２３が回転する（Ｓ１１３）ことによって下方積載部６０に積載される。
【００４１】
また、ステップ１０３にて、下方カバー部材８０が閉じられていないと判断した場合、すなわち、上方カバー部材９０及び下方カバー部材８０がともに開いている場合、制御部２０は、図示しないユーザ・インタフェイスに、上方カバー部材９０及び下方カバー部材８０がともに開いていることを表示する（Ｓ１０７）。なお、この場合、ユーザによって上方カバー部材９０あるいは下方カバー部材８０が閉じられるまで、画像形成部１０によって画像形成動作は施されない。
【００４２】
上述のように、本実施の形態においては、他方の覆い部材の一例である閉じられたカバー部材（下方カバー部材８０、上方カバー部材９０）に対応する排出ロール（下方排出ロール２３、上方排出ロール２８）を回転させる。このことにより、閉鎖記録材収容部の一例であり、閉じられたカバー部材が設けられている積載部（上方積載部６５、下方積載部６０）に向けて用紙Ｓが搬送される。また、開放記録材収容部の一例であり、開いたカバー部材が設けられている積載部に向けて用紙Ｓは搬送されない。
付言すると、一方の覆い部材の一例である開いたカバー部材に対応する排出ロールを回転させない。したがって、回転中の下方排出ロール２３あるいは上方排出ロール２８にユーザが触れることが抑制される。
【００４３】
＜他の態様＞
上述の実施形態においては、画像形成装置１００が、上方積載部６５及び下方積載部６０の２つの積載部を持つ構成として説明したが、これに限定されない。例えば、画像形成装置１００が３つ以上の積載部を持つ構成であってもよい。この場合、３つ以上の各積載部がそれぞれ独立したカバー部材、カバーロック部、および排出ロール等を有するよう構成される。
【００４４】
また、上述の実施形態においては、記録材処理装置の例として画像形成装置１００を用いて説明したが、これに限定されない。記録材処理装置としては、例えば後処理装置や用紙積載装置等であってもよい。後処理装置としては、ステープル針を用いて（あるいは用いることなく）記録材に対する綴じ処理を行う綴じ処理装置、パンチ穴をあけるパンチャ、折り筋を付ける折り筋装置等を有する構成がある。用紙積載装置としては、用紙を複数の積載部に仕分けられる機構を有する構成がある。
【００４５】
また、上述の実施形態においては、上方カバー部材９０及び下方カバー部材８０を画像形成装置１００の前面（操作面側）に設ける構成を用いて説明したが、これに限定されない。例えば、画像形成装置１００の側面に設けてもよい。図１を用いて例示すると、下方積載部６０と画像読取装置３０との間に形成される空間の図１中の右側面に設けてもよい。
【符号の説明】
【００４６】
１Ｙ，１Ｍ，１Ｃ，１Ｋ…画像形成ユニット、１９…二次転写部、２１…定着装置、２３…下方排出ロール、２８…上方排出ロール、２９…ゲート、５０…筺体、６０…下方積載部、６５…上方積載部、７０Ｕ，７０Ｄ…カバーロック部、７１…ロックピン、７３…戻しばね、７５…ソレノイド、８０…下方カバー部材、８５Ｕ，８５Ｄ…被拘束部、８７Ｕ，８７Ｄ…開口、９０…上方カバー部材、１００…画像形成装置、Ｓ…用紙
【図１】
2012118133.tif 000003
【図２】
2012118133.tif 000004
【図３】
2012118133.tif 000005
【図４】
2012118133.tif 000006